(57)【特許請求の範囲】
【請求項１】
第１のダイナミックレンジ画像から第２のダイナミックレンジ画像への変換に関する複数のニー位置情報を設定する設定部と、
上記第２のダイナミックレンジ画像を符号化して符号化データを生成する符号化部と、
上記複数のニー位置情報の優先順位を決定する決定部と、
上記第２のダイナミックレンジ画像の符号化データに、上記優先順位が付与された状態で上記複数のニー位置情報を付加する付加部を備え、
上記決定部は、
上記複数のニー位置情報がそれぞれ示すニー位置の圧縮伸長率に基づいて、上記複数のニー位置情報の優先順位を決定する
符号化装置。
【請求項２】
上記複数のニー位置情報が付加された上記第２のダイナミックレンジ画像の符号化データを記憶媒体に記憶する記憶処理部を、さらに備える
請求項１に記載の符号化装置。
【請求項３】
上記複数のニー位置情報には、配列が優先順位順とされることで、上記優先順位が付与される
請求項１に記載の符号化装置。
【請求項４】
上記複数のニー位置情報には、上記複数のニー位置情報の優先関係を示す情報が付加されることで、上記優先順位が付与される
請求項１に記載の符号化装置。
【請求項５】
第１のダイナミックレンジ画像から第２のダイナミックレンジ画像への変換に関する複数のニー位置情報を設定する設定ステップと、
上記第２のダイナミックレンジ画像を符号化部で符号化して符号化データを生成する符号化ステップと、
上記複数のニー位置情報の優先順位を決定する決定ステップと、
上記第２のダイナミックレンジ画像の符号化データに、上記優先順位が付与された状態で上記複数のニー位置情報を付加する付加ステップを有し、
上記決定ステップでは、
上記複数のニー位置情報がそれぞれ示すニー位置の圧縮伸長率に基づいて、上記複数のニー位置情報の優先順位を決定する
符号化方法。
【請求項６】
コンピュータを、
第１のダイナミックレンジ画像から第２のダイナミックレンジ画像への変換に関する複数のニー位置情報を設定する設定手段と、
上記第２のダイナミックレンジ画像を符号化して符号化データを生成する符号化手段と、
上記複数のニー位置情報の優先順位を決定する決定手段と、
上記第２のダイナミックレンジ画像の符号化データに、上記優先順位が付与された状態で上記複数のニー位置情報を付加する付加手段として機能させ、
上記決定手段は、
上記複数のニー位置情報がそれぞれ示すニー位置の圧縮伸長率に基づいて、上記複数のニー位置情報の優先順位を決定する
プログラム。
【請求項７】
外部機器に、伝送路を介して、第２のダイナミックレンジ画像の非圧縮画像データを送信するデータ送信部と、
上記外部機器に、上記伝送路を介して、第１のダイナミックレンジ画像から上記第２のダイナミックレンジ画像への変換に関するニー位置情報を、上記外部機器が対応可能なニー位置の個数に制限して送信する情報送信部を備える
送信装置。
【請求項８】
上記外部機器から、上記外部機器が対応可能なニー位置の個数情報を受信する情報受信部をさらに備える
請求項７に記載の送信装置。
【請求項９】
優先順位が付与された状態で複数のニー位置情報が付加された上記第２のダイナミックレンジ画像の符号化データを取得するデータ取得部と、
上記第２のダイナミックレンジ画像の符号化データを復号して、上記第２のダイナミックレンジ画像の非圧縮画像データを得る復号部と、
上記複数のニー位置情報から、上記優先順位に基づいて、上記外部機器が対応可能なニー位置の個数分のニー位置情報を選択する情報選択部をさらに備える
請求項７に記載の送信装置。
【請求項１０】
上記データ送信部は、上記外部機器に、上記非圧縮画像データを、差動信号により、上記伝送路を介して送信する、
請求項７に記載の送信装置。
【請求項１１】
上記情報送信部は、上記データ送信部で送信される上記非圧縮画像データの上記複数のニー位置情報を、該非圧縮画像データのブランキング期間に挿入することで、上記外部機器に送信する
請求項７に記載の送信装置。
【請求項１２】
外部機器に、伝送路を介して、第２のダイナミックレンジ画像の非圧縮画像データを送信するデータ送信ステップと、
上記外部機器に、上記伝送路を介して、第１のダイナミックレンジ画像から上記第２のダイナミックレンジ画像への変換に関するニー位置情報を、上記外部機器が対応可能なニー位置の個数に制限して送信する情報送信ステップを有する
送信方法。
【請求項１３】
コンピュータを、
外部機器に、伝送路を介して、第２のダイナミックレンジ画像の非圧縮画像データを送信するデータ送信手段と、
上記外部機器に、上記伝送路を介して、第１のダイナミックレンジ画像から上記第２のダイナミックレンジ画像への変換に関するニー位置情報を、上記外部機器が対応可能なニー位置の個数に制限して送信する情報送信手段と
して機能させるプログラム。
【請求項１４】
外部機器から、伝送路を介して、第２のダイナミックレンジ画像の非圧縮画像データを受信するデータ受信部と、
上記外部機器から、上記伝送路を介して、第１のダイナミックレンジ画像から上記第２のダイナミックレンジ画像への変換に関する所定数のニー位置情報を受信する情報受信部と、
上記第２のダイナミックレンジ画像の非圧縮画像データに上記所定数のニー位置情報に基づいたダイナミックレンジ変換処理を行う変換処理部と、
上記外部機器に、上記伝送路を介して、自装置が対応可能なニー位置の個数情報を送信する情報送信部を備える
受信装置。
【請求項１５】
上記ニー位置の個数の情報を記憶しておく記憶部をさらに備え、
上記情報送信部は、上記記憶部から上記ニー位置の個数情報を取得して送信する
請求項１４に記載の受信装置。
【請求項１６】
上記データ受信部は、上記外部機器から、上記非圧縮画像データを、差動信号により、上記伝送路を介して受信する
請求項１４に記載の受信装置。
【請求項１７】
上記情報受信部は、上記データ受信部で受信された上記非圧縮画像データの上記複数のニー位置情報を、該非圧縮画像データのブランキング期間から抽出する
請求項１４に記載の受信装置。
【請求項１８】
外部機器から、伝送路を介して、第２のダイナミックレンジ画像の非圧縮画像データを受信するデータ受信ステップと、
上記外部機器から、上記伝送路を介して、第１のダイナミックレンジ画像から上記第２のダイナミックレンジ画像への変換に関する所定数のニー位置情報を受信する情報受信ステップと、
上記第２のダイナミックレンジ画像の非圧縮画像データに上記所定数のニー位置情報に基づいたダイナミックレンジ変換処理を行う変換処理ステップと、
上記外部機器に、上記伝送路を介して、自装置が対応可能なニー位置の個数情報を送信する情報送信ステップを有する
受信方法。
【請求項１９】
コンピュータを、
外部機器から、伝送路を介して、第２のダイナミックレンジ画像の非圧縮画像データを受信するデータ受信手段と、
上記外部機器から、上記伝送路を介して、第１のダイナミックレンジ画像から上記第２のダイナミックレンジ画像への変換に関する複数のニー位置情報を受信する情報受信手段と、
上記第２のダイナミックレンジ画像の非圧縮画像データに上記所定数のニー位置情報に基づいたダイナミックレンジ変換処理を行う変換処理手段と、
上記外部機器に、上記伝送路を介して、自装置が対応可能なニー位置の個数情報を送信する情報送信手段と
して機能させるプログラム。
【発明の詳細な説明】
【技術分野】
【０００１】
この発明は、符号化装置、符号化方法、送信装置、送信方法、受信装置、受信方法およびプログラムに関し、詳しくは、ダイナミックレンジ変換画像データの符号化を行う符号化装置等に関する。
【背景技術】
【０００２】
近年、技術の進歩により、最大輝度が1000 cd/m2を超えるハイダイナミックレンジ表示装置が実用化されている。【０００３】
ハイダイナミックレンジ画像をスタンダードダイナミックレンジ画像に変換し、変換情報と共に、伝送路を介して、表示装置へ伝送し、伝送された変換情報に基づき、スタンダードダイナミックレンジ画像を表示装置の最大輝度に合せたダイナミックレンジに変換し、表示をする方法が考えられる。例えば、特許文献１には、ハイダイナミックレンジ画像データの記録方式およびその処理に関する提案がされている。
【先行技術文献】
【特許文献】
【０００４】
【特許文献１】特開２００５−３５２４８２号公報
【発明の概要】
【発明が解決しようとする課題】
【０００５】
ダイナミックレンジの変換後に、伝送路の伝送レートの制約から、ダイナミックレンジ変換に必要な変換情報の全てを伝送できず、製作者の意図する画像に変換することが不十分になる恐れがあった。また、ダイナミックレンジ変換処理を行う機器の演算能力の制約から、伝送されたダイナミックレンジ変換に必要な変換情報の全てを用いることができず、同様に、製作者の意図する画像に変換することが不十分になる恐れがあった。【０００６】
本技術は、ダイナミックレンジ変換画像を所望の画像に変換することを良好に行い得るようすることにある。
【課題を解決するための手段】
【０００７】
本技術の概念は、
第１のダイナミックレンジ画像から第２のダイナミックレンジ画像への変換に関する複数のニー位置情報を設定する設定部と、
上記第２のダイナミックレンジ画像を符号化して符号化データを生成する符号化部と、
上記複数のニー位置情報の優先順位を決定する決定部と、
上記第２のダイナミックレンジ画像の符号化データに、上記優先順位が付与された状態で上記複数のニー位置情報を付加する付加部を備える
符号化装置にある。【０００８】
本技術において、設定部により、第１のダイナミックレンジ画像から第２のダイナミックレンジ画像への変換に関する複数のニー位置情報が設定される。符号化部により、第２のダイナミックレンジ画像が符号化されて符号化データが生成される。決定部により、ニー位置情報の優先順位が決定される。例えば、決定部は、複数のニー位置情報がそれぞれ示すニー位置の圧縮伸長率に基づいて、複数のニー位置情報の優先順位を決定する、ようにされてもよい。【０００９】
付加部により、第２のダイナミックレンジ画像の符号化データに、優先順位が付与された状態で複数のニー位置情報が付加される。例えば、複数のニー位置情報には、配列が優先順位順とされることで、優先順位が付与される、ようにされてもよい。また、例えば、複数のニー位置情報には、複数のニー位置情報の優先関係を示す情報が付加されることで、優先順位が付与される、ようにされてもよい。【００１０】
このように本技術においては、第１のダイナミックレンジ画像から得られた第２のダイナミックレンジ画像の符号化画像データに、その変換に関する複数のニー位置情報が、優先順位が付与された状態で付加されるものである。そのため、例えば、全てのニー位置情報を伝送することができない場合、あるいは全てのニー位置情報を用いることができない場合であっても、ダイナミックレンジ変換画像を所望の画像に変換することが容易に可能となる。【００１１】
すなわち、伝送路の伝送レートの制約から、全てのニー位置情報を伝送することができない場合、優先順位情報に基づいて、優先順位の高いニー位置情報を選択的に伝送することが容易となる。また、ダイナミックレンジ変換処理を行う機器の演算能力の制約から、全てのニー位置情報を用いることができない場合、優先順位情報に基づいて、優先順位の高いニー位置情報を選択的に用いることが容易となる。【００１２】
なお、本技術において、例えば、複数のニー位置情報が付加された第２のダイナミックレンジ画像の符号化データを記憶媒体に記憶する記憶処理部を、さらに備える、ようにされてもよい。【００１３】
また、本技術の他の概念は、
外部機器に、伝送路を介して、第２のダイナミックレンジ画像の非圧縮画像データを送信するデータ送信部と、
上記外部機器に、上記伝送路を介して、第１のダイナミックレンジ画像から上記第２のダイナミックレンジ画像への変換に関するニー位置情報を、上記外部機器が対応可能なニー位置の個数に制限して送信する情報送信部を備える
送信装置にある。【００１４】
本技術において、データ送信部により、外部機器に、伝送路を介して、第２のダイナミックレンジ画像の非圧縮画像データが送信される。例えば、データ送信部は、外部機器に、非圧縮画像データを、差動信号により、伝送路を介して送信する、ようにされてもよい。【００１５】
情報送信部により、外部機器に、伝送路を介して、第１のダイナミックレンジ画像から第２のダイナミックレンジ画像への変換に関するニー位置情報が、外部機器が対応可能なニー位置の個数に制限されて送信される。例えば、情報送信部は、データ送信部で送信される非圧縮画像データの複数のニー位置情報を、この非圧縮画像データのブランキング期間に挿入することで、外部機器に送信する、ようにされてもよい。【００１６】
また、例えば、外部機器から、外部機器が対応可能なニー位置の個数情報を受信する情報受信部をさらに備える、ようにされてもよい。また、例えば、優先順位が付与された状態で複数のニー位置情報が付加された上記第２のダイナミックレンジ画像の符号化データを取得するデータ取得部と、第２のダイナミックレンジ画像の符号化データを復号して、第２のダイナミックレンジ画像の非圧縮画像データを得る復号部と、複数のニー位置情報から、優先順位に基づいて、外部機器が対応可能なニー位置の個数分のニー位置情報を選択する情報選択部をさらに備える、ようにされてもよい。【００１７】
このように本技術においては、外部機器に、第１のダイナミックレンジ画像から第２のダイナミックレンジ画像への変換に関するニー位置情報を、外部機器が対応可能なニー位置の個数に制限して送信するものである。そのため、外部機器では、自身が対応可能な個数のニー位置情報を受け取ることができ、使用すべきニー位置情報を選択する処理をすることなく、ダイナミックレンジ変換画像を所望の画像に変換することが容易に可能となる。【００１８】
また、本技術の他の概念は、
外部機器から、伝送路を介して、第２のダイナミックレンジ画像の非圧縮画像データを受信する画像データ受信部と、
上記外部機器から、上記伝送路を介して、第１のダイナミックレンジ画像から上記第２のダイナミックレンジ画像への変換に関する所定数のニー位置情報を受信する情報受信部と、
上記第２のダイナミックレンジ画像の非圧縮画像データに上記所定数のニー位置情報に基づいた変換処理を行って所定のダイナミックレンジ画像の非圧縮画像データを得る変換処理部と、
上記外部機器に、上記伝送路を介して、自装置が対応可能なニー位置の個数情報を送信する情報送信部を備える
受信装置にある。【００１９】
本技術において、データ受信部により、外部機器から、伝送路を介して、第２のダイナミックレンジ画像の非圧縮画像データが受信される。例えば、データ受信部は、外部機器から、非圧縮画像データを、差動信号により、伝送路を介して受信する、ようにされてもよい。【００２０】
情報受信部により、外部機器から、伝送路を介して、第１のダイナミックレンジ画像から第２のダイナミックレンジ画像への変換に関する所定数のニー位置情報が受信される。例えば、情報受信部は、データ受信部で受信された非圧縮画像データの複数のニー位置情報を、この非圧縮画像データのブランキング期間から抽出する、ようにされてもよい。【００２１】
情報送信部により、外部機器に、伝送路を介して、自装置が対応可能なニー位置の個数情報が送信される。例えば、ニー位置の個数情報を記憶しておく記憶部をさらに備え、情報送信部は、記憶部からニー位置の個数情報を取得して送信する、ようにされてもよい。【００２２】
このように本技術においては、第１のダイナミックレンジ画像から第２のダイナミックレンジ画像への変換に関する所定数のニー位置情報を外部機器から受信し、第２のダイナミックレンジ画像の非圧縮画像データにそのニー位置情報に基づいた変換処理を行うものにあって、外部機器に自装置が対応可能なニー位置の個数情報を送信するものである。そのため、外部機器から自身が対応可能な個数のニー位置情報を受け取ることができ、使用すべきニー位置情報を選択する処理をすることなく、ダイナミックレンジ変換画像を所望の画像に変換することが容易に可能となる。
【発明の効果】
【００２３】
本技術によれば、ダイナミックレンジ変換画像を所望の画像に変換することを良好に行い得る。なお、本明細書に記載された効果はあくまで例示であって限定されるものではなく、また付加的な効果があってもよい。
【図面の簡単な説明】
【００２４】
【図１】実施の形態としてのＡＶシステムの構成例を示すブロック図である。
【図２】符号化装置で生成されるダイナミックレンジ変換情報の概要を説明する図である。
【図３】ニー伸長を説明する図である。
【図４】ニー位置情報の優先順位決定方法を説明する図である。
【図５】ＢＤプレーヤのＨＤＭＩ送信部と、テレビ受信機のＨＤＭＩ受信部の構成例を示すブロック図である。
【図６】ＴＭＤＳチャネル＃０，＃１，＃２において、横×縦が１９２０ピクセル×１０８０ラインの画像データが伝送される場合の、各種の伝送データの区間を示す図である。
【図７】デジタルカメラの具体的な構成例を示すブロック図である。
【図８】ＢＤプレーヤの構成例を示すブロック図である。
【図９】テレビ受信機の構成例を示すブロック図である。
【図１０】テレビ受信機に記憶されているＥ−ＥＤＩＤのデータ構造例を示す図である。
【図１１】Ｅ−ＥＤＩＤのＶｅｎｄｅｒ Ｓｐｅｃｉｆｉｃ領域のデータ構造例を示す図である。
【図１２】Ｖｅｎｄｏｒ Ｓｐｅｃｉｆｉｃ ＩｎｆｏＦｒａｍｅパケットで伝送されるダイナミックレンジ変換情報のデータ構造例（１）を示す図である。
【図１３】Ｖｅｎｄｏｒ Ｓｐｅｃｉｆｉｃ ＩｎｆｏＦｒａｍｅパケットで伝送されるダイナミックレンジ変換情報のデータ構造例（２）を示す図である。
【図１４】Ｄｙｎａｍｉｃ Ｒａｎｇｅ ＩｎｆｏＦｒａｍｅパケットで伝送されるダイナミックレンジ変換情報のデータ構造例を示す図である。
【図１５】符号化装置のニー位置情報の優先順位決定処理を説明するフローチャートである。
【図１６】テレビ受信機接続時のＢＤプレーヤの処理例を示すフローチャートである。
【発明を実施するための形態】
【００２５】
以下、発明を実施するための形態（以下、「実施の形態」とする）について説明する。なお、説明を以下の順序で行う。
１．実施の形態
２．変形例
【００２６】
＜１．実施の形態＞
［ＡＶシステムの構成例］
図１は、実施の形態としてのＡＶ（Audio Visual）システム１０の構成例を示している。このＡＶシステム１０は、ハイダイナミックレンジ画像の撮像機器としてのデジタルカメラ１１と、ＨＤＭＩソース機器としてのＢＤ（Blu-ray Disc）プレーヤ１２と、ＨＤＭＩシンク機器としてのテレビ受信機１３を有している。デジタルカメラ１１およびＢＤプレーヤ１２は、例えばＢＤディスク、メモリカード等の記憶媒体１４を介して、ハイダイナミックレンジ画像を受け渡す。ＢＤプレーヤ１２およびテレビ受信機１３は、伝送路としてのＨＤＭＩケーブル１５を介して接続されている。
【００２７】
デジタルカメラ１１は、第１のダイナミックレンジ画像を撮像する撮像部１１ａと、第１のダイナミックレンジ画像を第２のダイナミックレンジ画像へ変換する変換部１１ｂと、符号化部１１ｄで用いる変換情報を供給する設定部１１ｃと、変換部１１ｂで変換された第２のダイナミックレンジ画像を符号化する符号化部１１ｄと、記憶媒体１４に符号化された画像データを記憶する記憶処理部１１ｆを、有している。
【００２８】
設定部１１ｃは、ＳＰＳ（Sequence Parameter Set）, ＰＰＳ（Picture Parameter Set），ＶＵＩ（video usability information），ＳＥＩ（Supplemental Enhancement Information）などを設定する。また、設定部１１ｃは、製作者等の指示により、ＳＥＩとして、変換情報を含むニー・ファンクション・インフォ・ＳＥＩ（knee_function_info SEI）を設定する。設定部１１ｃは、設定されたSPS, PPS, VUI, SEIなどのパラメータセットを、符号化部１１ｄに供給する。
【００２９】
ＢＤプレーヤ１２は、記憶媒体１４から符号化データを読み出して非圧縮画像に復号する復号部１２ｄと、復号部１２ｄで復号されたデータの中からハイダイナミックレンジ画像の変換情報を取得し、ＨＤＭＩケーブル１５を介して、テレビ受信機１３へ送信する情報送信部１２ｅと、ＨＤＭＩ送信部（ＨＤＭＩＴＸ）１２ｂおよび高速バスインタフェース（高速バスＩ/Ｆ）１２ｃが接続されたＨＤＭＩ端子１２ａと、テレビ受信機１３から送信される、テレビ受信機１３が対応可能なニー位置の個数情報を受信する情報受信部１２ｆを、有している。
【００３０】
ＨＤＭＩケーブル１５の一端はＢＤプレーヤ１２のＨＤＭＩ端子１２ａに接続され、このＨＤＭＩケーブル１５の他端はテレビ受信機１３のＨＤＭＩ端子１３ａに接続されている。
【００３１】
テレビ受信機１３は、ＨＤＭＩ受信部（ＨＤＭＩＲＸ）１３ｂおよび高速バスインタフェース（高速バスＩ/Ｆ）１３ｃが接続されたＨＤＭＩ端子１３ａと、ＢＤプレーヤ１２から送信される非圧縮画像の変換情報を受信する情報受信部１３ｅと、受信した変換情報に基づき、ＨＤＭＩ受信部１３ｂで受信した非圧縮画像のダイナミックレンジを変換する変換部１３ｄと、ＢＤプレーヤ１２へテレビ受信機１３が対応可能なニー位置の個数情報を送信する情報送信部１３ｆと、ニー位置の個数情報を記憶しておく記憶部１３ｇを、有している。
【００３２】
「ニー・ファンクション・インフォ・ＳＥＩのシンタクスの例」
現在、符号化効率の向上を目的として、ITU-Tと、ISO/IECの共同標準化団体であるJCTVC(Joint Collaboration Team − Video Coding)により、ＨＥＶＣ(High Efficiency Video Coding)と呼ばれる符号化方式の標準化が進められている。その標準化提案としてハイダイナミックレンジ画像の圧縮伸長変換情報として、ニー・ファンクション・インフォ・ＳＥＩ（knee_function_info SEI）が提案されている。
【００３３】
図２は、ニー・ファンクション・インフォ・ＳＥＩのシンタクス例を示している。このニー・ファンクション・インフォ・ＳＥＩでは、ニー変換ＩＤ（knee_function_id）とニー変換キャンセルフラグ（knee_function_cancel_flag）が設定される。ニー変換ＩＤは、ニー圧縮またはニー伸長であるニー変換の目的に固有のＩＤである。また、ニー変換キャンセルフラグは、直前のニー・ファンクション・インフォ・ＳＥＩの連続性をキャンセルするかどうかを表すフラグである。ニー変換キャンセルフラグは、前のニー・ファンクション・インフォ・ＳＥＩの連続性をキャンセルする場合にはハイレベル「１」に設定され、キャンセルしない場合にはローレベル「０」に設定される。
【００３４】
また、ニー変換キャンセルフラグがローレベル「０」である場合、ニー・ファンクション・インフォ・ＳＥＩには、ダイナミックレンジ変換情報が設定される。このダイナミックレンジ変換情報は、持続フラグ（knee_function_persistence_flag）と、圧縮伸長フラグ(mapping_flag)と、入力画像ダイナミックレンジ情報（input_d_range）と、入力画像表示ディスプレイ最大輝度情報（input_disp_luminance）と、出力画像ダイナミックレンジ情報（output_d_range）と、出力表示ディスプレイ最大輝度情報（output_disp_luminace）と、ニー位置数情報（num_knee_point_minus1）が設定される。そして、変換前位置情報（input_knee_point）および変換後位置情報（output_knee_point）が、ニー位置ごとに設定される。
【００３５】
持続フラグは、一度送ったニー・ファンクション・インフォ・ＳＥＩがその後も有効なのか、一回限りなのかを示す。持続フラグは、ニー・ファンクション・インフォ・ＳＥＩが付加されたピクチャに限り有効な場合にはローレベル「０」に設定され、ストリームが切り替わるまで有効または新しいニー・ファンクション・インフォ・ＳＥＩが来るまで有効の場合にはハイレベル「１」に設定される。
【００３６】
圧縮伸長フラグは、ニー変換がニー圧縮であるかどうかを表すフラグである。すなわち、ニー位置の数が１つである場合、変換前位置情報が変換後位置情報以上であるとき、ニー変換がニー伸長であると判断し、変換前位置情報が変換後位置情報より小さいとき、ニー変換がニー圧縮であると判断することができる。
【００３７】
しかしながら、ニー位置の数が複数である場合、変換前位置情報と変換後位置情報の大小関係で、ニー変換がニー伸長であるか、ニー圧縮であるかを正確に判断することができないため、圧縮フラグが設定される。なお、ニーポイントの数が１つである場合であっても、圧縮フラグが設定されるようにしてもよい。圧縮フラグは、ニー変換がニー圧縮である場合にはハイレベル「１」に設定され、ニー伸長である場合にはローレベル「０」に設定される。
【００３８】
ニー位置数は、ニー位置の数から１を減算した値である。なお、ニー位置の変換前位置情報と変換後位置情報が設定される順番ｉ（ｉは0以上の整数）は、変換前位置情報の小さい順である。
【００３９】
変換前位置情報（input_knee_point）は、ダイナミックレンジ変換における変換前の符号化対象の画像のニー位置を表す情報であり、符号化対象の画像の輝度の最大値を１０００パーミルとしたときのニー位置の千分率である。ニー位置とは、符号化対象の画像の輝度のダイナミックレンジの同一の変換率でニー変換される輝度の範囲の始点の０以外の輝度である。
【００４０】
変換後位置情報（output_knee_point）は、ダイナミックレンジ変換における変換後の画像の、ニー位置を始点とするニー変換される輝度の範囲に対応する輝度の範囲の始点を表す情報である。具体的には、変換後位置情報は、変換後の画像の輝度の最大値を１０００パーミルとしたときのニーポイントに対応する変換後の画像の輝度の千分率である。
【００４１】
図３は、符号化対象の第１のダイナミックレンジ画像がハイダイナミックレンジ画像である例を示す。ユーザは、ハイダイナミックレンジ画像の輝度の0-40％, 40-100％, 100-180％, 180-400％を0-60％, 60-80％, 80-90％, 90-100％にニー変換した結果得られる第２のダイナミックレンジ画像を所望の変換画像としている。
【００４２】
この場合、ニー・ファンクション・インフォ・ＳＥＩには、１番目のニー位置の変換前位置情報（input_knee_point[0]）として100が設定され、変換後位置情報（output_knee_point[0]）として600が設定される。２番目のニー位置の変換前位置情報（input_knee_point[1]）として250が設定され、変換後位置情報（output_knee_point[1]）として800が設定される。３番目のニー位置の変換前位置情報（input_knee_point[2]）として450が設定され、変換後位置情報（output_knee_point[2]）として900が設定される。
【００４３】
また、図３の例において、ニー・ファンクション・インフォ・ＳＥＩのその他のパラメータを、仮に、入力画像ダイナミックレンジ情報（input_d_range）を4000、入力画像表示ディスプレイ最大輝度情報（input_disp_luminance）を800（cd/m２）、圧縮フラグ（mapping_flag）を1と想定する。
【００４４】
従って、テレビ受信機１３では、１番目から３番目の輝度「output_knee_point」が、それぞれ、60％,80％,90％であることを認識する。また、テレビ受信機１３は、入力画像ダイナミックレンジ情報から符号化対象の画像の輝度の最大値が400%であることを認識する。
【００４５】
そして、テレビ受信機１３は、ニー位置を設定順に接続することにより、復号の結果得られるハイダイナミックレンジ画像の輝度の0-40％, 40-100％, 100-180％, 180-400％を0-60％, 60-80％, 80-90％, 90-100％にニー変換する。その結果、テレビ受信機１３は、復号の結果得られるハイダイナミックレンジ画像を所望の第２のダイナミックレンジ画像に変換することができる。
【００４６】
以上のように、ニー位置が複数設定される場合、ニー位置が１つ設定される場合に比べて、より細かく変換率を設定することができる。従って、より高精度なニー変換を行うことができるが、伝送路によっては複数のニー位置情報を一度に伝送できる伝送容量がない場合、上記の様に、変換前位置順で設定する際に、全てのニー位置情報が伝送できない恐れがある。
【００４７】
本技術では、限定された伝送容量の伝送路を介して、ニー位置情報を伝送する際、ニー位置情報に優先順位を演算して求め、その順位でニー位置情報を設定する方式および手法を提案する。
【００４８】
図４は、その優先順位の判断方式および手法の一例を示す。変換カーブグラフの原点（0,0）から対角線を点（1000,1000）に引く。それぞれのニー位置から、この対角線に対し垂線を下ろす。それぞれの垂線の長さを演算し、その値が大きい順に優先順位が高いと判断する。図４では、垂線の長さが長い順は、d[2]>d[1]>d[3]となり、ニー・ファンクション・インフォ・ＳＥＩの変換前位置情報と変換後位置情報は、（250, 800）、（100, 600）、（450, 900）の順番で記述される。この場合、複数のニー位置情報がそれぞれ示すニー位置の圧縮伸長率に基づいて、複数のニー位置情報の優先順位を決定するものである。
【００４９】
この方式および手法により、必要最低限１つのニー位置情報が取得できれば、誤差はあるものの、近似曲線を推定することが可能となる。
【００５０】
「ＨＤＭＩ伝送路の構成例」
図５は、図１のＡＶシステム１０における、ＢＤプレーヤ１２のＨＤＭＩ送信部１２ｂと、テレビ受信機１３のＨＤＭＩ受信部１３ｂの構成例を示している。ＨＤＭＩ送信部１２ｂは、一の垂直同期信号から次の垂直同期信号までの区間から、水平帰線区間２２および垂直帰線区間２３を除いた区間である有効画像区間２１（以下、適宜、「アクティブビデオ区間」ともいう）（図６参照）において、非圧縮の１画面分の画像の画素データに対応する差動信号を、複数のチャネルで、ＨＤＭＩ受信部１３ｂに一方向に送信する。また、ＨＤＭＩ送信部１２ｂは、水平帰線区間２２または垂直帰線区間２３において、少なくとも画像に付随する音声データや制御データ、その他の補助データ等に対応する差動信号を、複数のチャネルで、ＨＤＭＩ受信部１３ｂに一方向に送信する。
【００５１】
すなわち、ＨＤＭＩ送信部１２ｂは、ＨＤＭＩトランスミッタ３１を有する。トランスミッタ３１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩ受信部１３ｂに、一方向にシリアル伝送する。
【００５２】
また、トランスミッタ３１は、非圧縮の画像に付随する音声データ、さらには、必要な制御データその他の補助データ等を、対応する差動信号に変換し、３つのＴＭＤＳチャネル＃０，＃１，＃２で、ＨＤＭＩ受信部１３ｂに一方向にシリアル伝送する。
【００５３】
ＨＤＭＩ受信部１３ｂは、アクティブビデオ区間２１（図６参照）において、複数のチャネルで、ＨＤＭＩ送信部１２ｂから一方向に送信されてくる、画素データに対応する差動信号を受信する。また、ＨＤＭＩ受信部１３ｂは、水平帰線区間２２（図６参照）または垂直帰線区間２３（図６参照）において、複数のチャネルで、ＨＤＭＩ送信部１２ｂから一方向に送信されてくる、音声データや制御データに対応する差動信号を受信する。
【００５４】
ＨＤＭＩソース送信部１２ｂとＨＤＭＩ受信部１３ｂとからなるＨＤＭＩシステムの伝送チャネルには、画素データおよび音声データを伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）３３やＣＥＣ（Consumer Electronics Control）ライン３４と呼ばれる伝送チャネルがある。
【００５５】
ＤＤＣ３３は、ＨＤＭＩケーブル１５に含まれる２本の信号線からなり、ＨＤＭＩ送信部１２ｂが、ＨＤＭＩケーブル１５を介して接続されたＨＤＭＩ受信部１３ｂから、Ｅ−ＥＤＩＤ（Enhanced Extended Display Identification Data）を読み出すために使用される。すなわち、ＨＤＭＩ受信部１３ｂは、ＨＤＭＩレシーバ３２の他に、自身の性能（Configuration・Capability）に関する性能情報であるＥ−ＥＤＩＤを記憶している、ＥＤＩＤ ＲＯＭ（Read Only Memory）を有している。
【００５６】
ＨＤＭＩ送信部１２ｂは、ＨＤＭＩケーブル１５を介して接続されているＨＤＭＩ受信部１３ｂから、当該ＨＤＭＩ受信部１３ｂのＥ−ＥＤＩＤを、ＤＤＣ３３を介して読み出す。そして、ＨＤＭＩ送信部１２ｂは、そのＥ−ＥＤＩＤに基づき、ＨＤＭＩ受信部１３ｂの性能の設定、すなわち、例えば、ＨＤＭＩ受信部１３ｂを有する電子機器が対応している画像のフォーマット（プロファイル）、例えば、ＲＧＢ、ＹＣｂＣｒ４：４：４、ＹＣｂＣｒ４：２：２等を認識する。
【００５７】
ＣＥＣライン３４は、ＨＤＭＩケーブル１５に含まれる１本の信号線からなり、ＨＤＭＩ送信部１２ｂとＨＤＭＩ受信部１３ｂとの間で、制御用のデータの双方向通信を行うために用いられる。また、ＨＤＭＩケーブル１５には、ＨＰＤ（Hot Plug Detect）と呼ばれるピンに接続されるＨＰＤライン３５が含まれている。
【００５８】
ソース機器は、このＨＰＤライン３５を利用して、直流バイアス電位により、シンク機器の接続を検出することができる。この場合、ＨＰＤライン３５は、ソース機器側から見ると、直流バイアス電位によってシンク機器から接続状態の通知を受ける機能を有するものとなる。一方、このＨＰＤラインは、シンク機器側から見ると、直流バイアス電位によってソース機器に接続状態を通知する機能を有するものとなる。
【００５９】
また、ＨＤＭＩケーブル１５には、ソース機器からシンク機器に電源を供給するために用いられるライン（電源ライン）３６が含まれている。さらに、ＨＤＭＩケーブル１５には、リザーブライン３７が含まれている。ＨＰＤライン３５とリザーブライン３７を用い て、一対の差動伝送路を構成し、双方向通信路として用いる場合もある。
【００６０】
図６は、ＴＭＤＳチャネルにおいて、横×縦が１９２０ピクセル×１０８０ラインの画像データが伝送される場合の、各種の伝送データの区間を示している。ＨＤＭＩの３つのＴＭＤＳチャネルで伝送データが伝送されるビデオフィールド（Video Field）には、伝送データの種類に応じて、ビデオデータ区間２４（Video Data Period）、データアイランド区間２５（Data Island Period）、およびコントロール区間２６（Control Period）の３種類の区間が存在する。
【００６１】
ここで、ビデオフィールド区間は、ある垂直同期信号の立ち上がりエッジ（Active Edge）から次の垂直同期信号の立ち上がりエッジまでの区間であり、水平帰線期間２２（Horizontal Blanking）、垂直帰線期間２３（Vertical Blanking）、並びに、ビデオフィールド区間から、水平帰線期間および垂直帰線期間を除いた区間である有効画素区間２１（Active Video）に分けられる。
【００６２】
ビデオデータ区間２４は、有効画素区間２１に割り当てられる。このビデオデータ区間２４では、非圧縮の１画面分の画像データを構成する１９２０ピクセル（画素）×１０８０ライン分の有効画素（Active Pixel）のデータが伝送される。データアイランド区間２５およびコントロール区間２６は、水平帰線期間２２および垂直帰線期間２３に割り当てられる。このデータアイランド区間２５およびコントロール区間２６では、補助データ（Auxiliary Data）が伝送される。
【００６３】
すなわち、データアイランド区間２５は、水平帰線期間２２と垂直帰線期間２３の一部分に割り当てられている。このデータアイランド区間２５では、補助データのうち、制御に関係しないデータである、例えば、音声データのパケット等が伝送される。コントロール区間２６は、水平帰線期間２２と垂直帰線期間２３の他の部分に割り当てられている。このコントロール区間２６では、補助データのうちの、制御に関係するデータである、例えば、垂直同期信号および水平同期信号、制御パケット等が伝送される。
【００６４】
［デジタルカメラの構成例］
図７は、デジタルカメラ１１の具体的な構成例を示している。このデジタルカメラ１１は、イメージャ１２１と、イメージャドライバ１２２と、撮像信号処理回路１２３と、カメラ制御ＣＰＵ１２４と、静止画像信号処理回路１２５と、動画像信号処理回路１２６と、記録再生部１２８と、記録媒体１２９を有している。
【００６５】
また、このデジタルカメラ１１は、システム制御ＣＰＵ１３０と、フラッシュＲＯＭ１３１と、ＳＤＲＡＭ１３２と、ユーザ操作部１３３と、マイクロホン１３４と、音声信号処理回路１３５と、グラフィック生成回路１４１と、パネル駆動回路１３６と、表示パネル１３７と、表示制御部１４２と、電源部１４３を有している。
【００６６】
イメージャ１２１は、例えば、ＣＭＯＳ撮像素子、あるいはＣＣＤ撮像素子により構成される。イメージャドライバ１２２は、イメージャ１２１を駆動する。撮像信号処理回路１２３は、イメージャ１２１で得られる撮像信号を処理して、被写体に対応した画像データ（撮像画像データ）を生成する。カメラ制御ＣＰＵ１２４は、イメージャドライバ１２２および撮像信号処理回路１２３の動作を制御する。なお、この例では、システム制御ＣＰＵ１３０の他にカメラ制御ＣＰＵ１２４を有する例を示しているが、これらは１つのチップになっていても、複数コアであってもよい。
【００６７】
静止画像信号処理回路１２５は、静止画の撮像時、撮像信号処理回路１２３で得られた画像データに対して、例えばＪＰＥＧ（Joint Photographic Experts Group）方式の圧縮符号化処理を施して、静止画像データを生成する。
【００６８】
音声信号処理回路１３５は、マイクロホン１３４で得られた音声信号に対して、Ａ／Ｄ変換等の処理を施して、撮像画像データに対応した音声データを得る。動画像信号処理回路１２６は、動画の撮像時、撮像信号処理回路１２３で得られた画像データに対して、音声信号処理回路１２５で得られた音声データと共に、記録メディアフォーマットに準じた圧縮符号化等の処理を施し、音声データが付加された動画像データを生成する。
【００６９】
この動画像信号処理回路１２６では、例えば、ＨＥＶＣの符号化が行われる。動画像信号処理回路１２６において、上述した設定部１１ｃや変換部１１ｂの処理も行われる。すなわち、イメージャ１２１で撮像された第１のダイナミックレンジ画像が第２のダイナミックレンジ画像に変換され、この第２のダイナミックレンジ画像が符号化されて符号化データが生成さされる。そして、この符号化データに、第１のダイナミックレンジ画像が第２のダイナミックレンジ画像への変換情報（ニー・ファンクション・インフォ・ＳＥＩ）が付加される。この変換情報には、優先順位が付与された状態で、複数のニー位置情報が含まれている。
【００７０】
記録再生部１２８は、静止画の撮像時、静止画信号処理回路１２５で生成された静止画像データを、装填された記録媒体（記憶媒体）１２９に、あるいは、システム制御ＣＰＵ１３０を経由してフラッシュＲＯＭ１３１に書き込む。ここで、記録媒体１２９は、例えば、リムーバブルな記録媒体、例えばＢＤディスク、メモリカードなどである。また、記録再生部１２８は、動画の撮像時、動画像信号処理回路１２６で生成された動画像データを、装填された記録媒体１２９に、あるいは、システム制御ＣＰＵ１３０を経由してフラッシュＲＯＭ１３１に書き込む。さらに、記録再生部１２８は、静止画または動画の再生時、記録媒体１２９から動画像データを読み出し、復号化処理等を施して、再生画像データを得る。
【００７１】
グラフィック生成回路１４１は、撮像信号処理回路１２３から出力された画像データ、または記録再生部１２８で生成された再生画像データに対して、必要に応じてグラフィックスデータの重畳処理等を行う。パネル駆動回路１３６は、グラフィック生成回路１４１の出力画像データに基づいて、表示パネル１３７を駆動し、当該表示パネル１３７に撮像画像（動画像）または再生画像（静止画像、動画像）を表示する。表示制御部１４２は、グラフィクス生成回路１４１やパネル駆動回路１３６を制御して、表示パネル１３７における表示を制御する。表示パネル１３７は、例えば、ＬＣＤ(Liquid Crystal Display)、有機ＥＬ（Organic Electro-Luminescence）パネル等で構成されている。
【００７２】
なお、この例では、システム制御ＣＰＵ１３０の他に表示制御部１４２を有する例を示しているが、表示パネル１３７における表示をシステム制御ＣＰＵ１３０が直接制御するようにしてもよい。また、システム制御ＣＰＵ１３０と表示制御部１４２は、１つのチップになっていても、複数コアであってもよい。電源部１４３は、デジタルカメラ１１の各部に電源を供給する。この電源部１４３は、ＡＣ電源であっても、電池（蓄電池、乾電池）であってもよい。
【００７３】
システム制御ＣＰＵ１３０は、静止画像信号処理回路１２５、動画像信号処理回路１２６、記録再生部１２８等の動作を制御する。システム制御ＣＰＵ１３０には、フラッシュＲＯＭ１３１、ＳＤＲＡＭ１３２およびユーザ操作部１３３が接続されている。フラッシュＲＯＭ１３１は、システム制御ＣＰＵ１３０の制御プログラム等を記憶している。また、ＳＤＲＡＭ１３２は、システム制御ＣＰＵ１３０の制御処理で必要なデータの一時記憶等に用いられる。
【００７４】
ユーザ操作部１３３は、ユーザインタフェースを構成している。なお、このユーザ操作部１３３は、例えば、スイッチ、ホイール、近接/タッチにより指示入力を行うタッチパネル部、マウス、キーボード、カメラで指示入力を検出するジェスチャ入力部、音声により指示入力を行う音声入力部、さらにはリモートコントロールなどであってもよい。システム制御ＣＰＵ１３０は、ユーザ操作部１３３の操作状態を判断し、デジタルカメラ１１の動作を制御する。ユーザは、ユーザ操作部１３３により、撮像（記録）操作、再生操作の他に、各種付加情報の入力操作等を行うことができる。
【００７５】
図７に示すデジタルカメラ１１の動作を簡単に説明する。イメージャ１２１で得られた撮像信号は撮像信号処理回路１２３に供給されて処理され、この撮像信号処理回路１２３からは被写体に対応した画像データ（撮像画像データ）が得られる。静止画撮像時には、静止画像信号処理回路１２５では、撮像信号処理回路１２３から出力される画像データに対して、圧縮符号化処理等が施されて、静止画像データが生成される。この静止画像データは、記録再生部１２８により、記録媒体１２９に記録される。
【００７６】
また、動画撮像時には、動画像信号処理回路１２６では、撮像信号処理回路１２３から出力される画像データに対して、音声信号処理回路１３５から出力される音声データと共に、記録メディアフォーマットに準じた圧縮符号化等の処理が施され、音声データが付加された動画像データが生成される。この動画像データは、記録再生部１２８により、記録媒体１２９に記録される。
【００７７】
静止画像の再生時には、記録媒体１２９から静止画像データが読み出され、静止画像信号処理回路１２５で復号化等の処理が施されて再生画像データ得られる。この再生画像データはシステム制御ＣＰＵ１３０および動画像信号処理回路１２６を介してパネル駆動回路１３６に供給され、表示パネル１３７に、静止画像が表示される。
【００７８】
動画像の再生時には、記録再生回路１２８により記録媒体１２９から動画像データが読み出され、動画像信号処理回路１２６で復号化等の処理が施されて再生画像データが得られる。そして、再生画像データはパネル駆動回路１３６に供給され、表示パネル１３７に、動画像が表示される。
【００７９】
［ＢＤプレーヤの構成例］
図８は、ＢＤプレーヤ１２の構成例を示している。このＢＤプレーヤ１２は、ＨＤＭＩ端子１２ａと、ＨＤＭＩ送信部１２ｂと、高速バスインタフェース１２ｃを有している。また、このＢＤプレーヤ１２は、ＣＰＵ（Central Processing Unit）２０４と、内部バス２０５と、フラッシュＲＯＭ（Read Only Memory）２０６と、ＳＤＲＡＭ（Synchronous Random Access Memory）２０７と、リモコン受信部２０８と、リモコン送信機２０９を有している。
【００８０】
また、ＢＤプレーヤ１２は、記憶（記録）媒体制御インタフェース２１０と、ＢＤ(Blu-Ray Disc)ドライブ２１１ａと、ＨＤＤ（Hard disk drive）２１１ｂと、ＳＳＤ（Solid State Drive）２１１ｃと、イーサネットインタフェース（Ethernet I/F）２１２と、ネットワーク端子２１３を有している。また、ＢＤプレーヤ１２は、ＭＰＥＧ(Moving Picture Expert Group)デコーダ２１５と、グラフィック生成回路２１６と、映像出力端子２１７と、音声出力端子２１８を有している。
【００８１】
また、ＢＤプレーヤ１２は、表示制御部２２１と、パネル駆動回路２２２と、表示パネル２２３と、電源部２２４を有していてもよい。なお、「イーサネット」および「Ｅｔｈｅｒｎｅｔ」は登録商標である。高速バスインタフェース１２ｃ、ＣＰＵ２０４、フラッシュＲＯＭ２０６、ＳＤＲＡＭ２０７、リモコン受信部２０８、記憶媒体制御インタフェース２１０、イーサネットインタフェース２１２およびＭＰＥＧデコーダ２１５は、内部バス２０５に接続されている。
【００８２】
ＣＰＵ２０４は、ＢＤプレーヤ１２の各部の動作を制御する。フラッシュＲＯＭ２０６は、制御ソフトウェアの格納およびデータの保管を行う。ＳＤＲＡＭ２０７は、ＣＰＵ２０４のワークエリアを構成する。ＣＰＵ２０４は、フラッシュＲＯＭ２０６から読み出したソフトウェアやデータをＳＤＲＡＭ２０７上に展開してソフトウェアを起動させ、ＢＤプレーヤ１２の各部を制御する。
【００８３】
リモコン受信部２０８は、リモコン送信機２０９から送信されたリモーコントロール信号（リモコンコード）を受信し、ＣＰＵ２０４に供給する。ＣＰＵ２０４は、リモコンコードに従ってＢＤプレーヤ１２の各部を制御する。なお、この実施の形態では、ユーザ指示入力部としてリモートコントロール部を示しているが、ユーザ指示入力部は、その他の構成、例えば、スイッチ、ホイール、近接/タッチにより指示入力を行うタッチパネル部、マウス、キーボード、カメラで指示入力を検出するジェスチャ入力部、音声により指示入力を行う音声入力部などであってもよい。
【００８４】
ＢＤドライブ２１１aは、ディスク状記録メディアとしてのＢＤディスクに対して、コンテンツデータを記録し、あるいは、このＢＤディスクからコンテンツデータを再生する。ＨＤＤ２１１ｂは、コンテンツデータを記録し、あるいは、そのコンテンツデータを再生する。ＳＳＤ２１１ｃは、メモリカード等の半導体メモリに対して、コンテンツデータを記録し、あるいは、この半導体メモリからコンテンツデータを再生する。
【００８５】
ＢＤドライブ２１１ａ、ＨＤＤ２１１ｂ、ＳＳＤ２１１ｃは、記憶媒体制御インタフェース２１０を介して内部バス２０５に接続されている。例えば、ＢＤドライブ２１１ａやＨＤＤ２１１ｂのためのインタフェースとしてはＳＡＴＡインタフェースが使用される。また、例えば、ＳＳＤ２１１ｃのためのインタフェースとしてＳＡＴＡインタフェースあるいはＰＣＩｅインタフェースが使用される。
【００８６】
ＭＰＥＧデコーダ２１５は、ＢＤドライブ２１１ａ、ＨＤＤ２１１ｂあるいはＳＳＤ２１１ｃで再生されたＭＰＥＧ２ストリームに対してデコード処理を行って画像および音声のデータを得る。グラフィック生成回路２１６は、ＭＰＥＧデコーダ２１５で得られた画像データに対して、必要に応じてグラフィックスデータの重畳処理等を行う。映像出力端子２１７は、グラフィック生成回路２１６から出力される画像データを出力する。音声出力端子２１８は、ＭＰＥＧデコーダ２１５で得られた音声データを出力する。
【００８７】
パネル駆動回路２２２は、グラフィック生成回路２１６から出力される映像（画像）データに基づいて、表示パネル２２３を駆動する。表示制御部２２１は、グラフィクス生成回路２１６やパネル駆動回路２２２を制御して、表示パネル２２３における表示を制御する。表示パネル２２３は、例えば、ＬＣＤ(Liquid Crystal Display)、ＰＤＰ(Plasma Display Panel)有機ＥＬ（Organic Electro-Luminescence）パネル等で構成されている。
【００８８】
なお、この実施の形態では、ＣＰＵ２０４の他に表示制御部２２１を有する例を示しているが、表示パネル２２３における表示をＣＰＵ２０４が直接制御するようにしてもよい。また、ＣＰＵ２０４と表示制御部２２１は、１つのチップになっていても、複数コアであってもよい。電源部２２４は、ＢＤプレーヤ１２の各部に電源を供給する。この電源部２２４は、ＡＣ電源であっても、電池（蓄電池、乾電池）であってもよい。
【００８９】
ＨＤＭＩ送信部（ＨＤＭＩソース）１２ｂは、ＨＤＭＩに準拠した通信により、ベースバンドの画像（映像）と音声のデータを、ＨＤＭＩ端子１２ａから送出する。高速バスインインタフェース１２ｃは、ＨＤＭＩケーブル１５を構成する所定ライン（この実施の形態においては、リザーブライン、ＨＰＤライン）を用いて構成される双方向通信路のインタフェースである。
【００９０】
ここで、ＨＤＭＩ送信部１２ｂにおいて、上述した情報送信部１２ｅ、情報受信部１２ｆの処理も行われる。すなわち、デジタルカメラ１１からの記憶媒体１４から再生された第２のダイナミックレンジ画像の符号化データがＭＰＥＧデコーダ２１５で復号されて得られた非圧縮画像データの変換情報がテレビ受信機１３に送信される。また、テレビ受信機１３から、テレビ受信機１３が対応可能なニー位置の個数情報が受信される。
【００９１】
この非圧縮画像データのブランキング期間に、第１のダイナミックレンジ画像から第２のダイナミックレンジ画像への変換情報が挿入される。この変換情報には、ニー位置情報が含まれるが、テレビ受信機１３が対応可能なニー位置の個数に制限される。上述したように、第２のダイナミックレンジ画像の符号化データがＭＰＥＧデコーダ２１５で復号される際に、このＭＰＥＧデコーダ２１５において、符号化データから、優先順位の付与された状態の複数のニー位置情報が抽出される。
【００９２】
ＨＤＭＩ送信部１２ｂでは、このようにＭＰＥＧデコーダ２１５で非圧縮画像データに関連し抽出される複数のニー位置情報から、優先順位に基づいて、テレビ受信機１３が対応可能なニー位置の個数分だけ、ニー位置情報が選択される。そして、テレビ受信機１３に送信される非圧縮画像データのブランキング期間に挿入される変換情報には、この選択された所定数のニー位置情報を含むようにされる。
【００９３】
この高速バスインタフェース１２ｃは、イーサネットインタフェース２１２とＨＤＭＩ端子２０１との間に挿入されている。この高速バスインタフェース１２ｃは、ＣＰＵ２０４から供給される送信データを、ＨＤＭＩ端子２０１からＨＤＭＩケーブル１５を介して相手側の機器に送信する。また、この高速バスインタフェース１２ｃは、ＨＤＭＩケーブル１５からＨＤＭＩ端子１２ａを介して相手側の機器から受信された受信データをＣＰＵ１０４に供給する。
【００９４】
図８に示すＢＤプレーヤ１２の動作を簡単に説明する。記録時には、図示されないデジタルチューナを介して、あるいはネットワーク端子２１３からイーサネットインタフェース２１２を介して、あるいはＨＤＭＩ端子１２ａから高速バスインタフェース１２ｃを介して、記録すべきコンテンツデータが取得される。このコンテンツデータは、記憶媒体インタフェース２１０に入力され、ＢＤドライブ２１１ａによりＢＤディスクに、ＨＤＤ２１１ｂに、あるいはＳＳＤ２１１ｃにより半導体メモリに記録される。
【００９５】
再生時には、ＢＤドライブ２１１ａ、ＨＤＤ２１１ｂ、あるいはＳＳＤ２１１ｃで再生されたコンテンツデータ（ＭＰＥＧストリーム）は、記憶媒体インタフェース２１０を介してＭＰＥＧデコーダ２１５に供給される。ＭＰＥＧデコーダ２１５では、再生されたコンテンツデータに対してデコード処理が行われ、ベースバンドの画像および音声のデータが得られる。画像データは、グラフィック生成回路２１６を通じて映像出力端子２１７に出力される。また、音声データは、音声出力端子２１８に出力される。
【００９６】
また、再生時には、ＭＰＥＧデコーダ２１５で得られた画像データが、ユーザ操作に応じて、グラフィック生成回路２１６を通じてパネル駆動回路２２２に供給され、表示パネル２２３に再生画像が表示される。また、ＭＰＥＧデコーダ１１５で得られた音声データが、ユーザ操作に応じて、図示しないスピーカに供給され、再生画像に対応した音声が出力される。
【００９７】
また、この再生時に、ＭＰＥＧデコーダ２１５で得られた画像および音声のデータをＨＤＭＩのＴＭＤＳチャネルで送信する場合には、これら画像および音声のデータは、ＨＤＭＩ送信部１２ｂに供給されてパッキングされ、このＨＤＭＩ送信部１２ｂからＨＤＭＩ端子１２ａに出力される。
【００９８】
また、再生時に、ＢＤドライブ２１１で再生されたコンテンツデータをネットワークに送出する際には、このコンテンツデータは、イーサネットインタフェース２１２を介して、ネットワーク端子２１３に出力される。同様に、再生時に、ＢＤドライブ２１１で再生されたコンテンツデータをＨＤＭＩケーブル１５の双方向通信路に送出する際には、当該コンテンツデータは、高速バスインタフェース１２ｃを介して、ＨＤＭＩ端子１２ａに出力される。ここで、画像データを出力する前に、著作権保護技術、例えばＨＤＣＰ、ＤＴＣＰ、ＤＴＣＰ＋などを用いて暗号化してから伝送してもよい。
【００９９】
［テレビ受信機の構成例］
図９は、テレビ受信機１３の構成例を示している。このテレビ受信機１３は、ＨＤＭＩ端子１３ａと、ＨＤＭＩ受信部１３ｂと、高速バスインタフェース１３ｃを有している。また、テレビ受信機１３は、アンテナ端子３０５と、デジタルチューナ３０６と、ＭＰＥＧデコーダ３０７と、映像信号処理回路３０８と、グラフィック生成回路３０９と、パネル駆動回路３１０と、表示パネル３１１とを有している。
【０１００】
また、テレビ受信機１３は、音声信号処理回路３１２と、音声増幅回路３１３と、スピーカ３１４と、内部バス３２０と、ＣＰＵ３２１と、フラッシュＲＯＭ３２２と、ＳＤＲＡＭ（Synchronous Random Access Memory）３２３とを有している。また、テレビ受信機１３は、イーサネットインタフェース（Ethernet I/F）３２４と、ネットワーク端子３２５と、リモコン受信部３２６と、リモコン送信機３２７とを有している。また、テレビ受信機１３は、表示制御部３３１と、電源部３３２を有している。なお、「イーサネット」および「Ｅｔｈｅｒｎｅｔ」は登録商標である。
【０１０１】
アンテナ端子３０５は、受信アンテナ（図示せず）で受信されたテレビ放送信号を入力する端子である。デジタルチューナ３０６は、アンテナ端子３０５に入力されたテレビ放送信号を処理して、ユーザの選択チャネルに対応した所定のトランスポートストリームから、パーシャルＴＳ（Transport Stream）（映像データのＴＳパケット、音声データのＴＳパケット）を抽出する。
【０１０２】
また、デジタルチューナ３０６は、得られたトランスポートストリームから、ＰＳＩ／ＳＩ（Program Specific Information／Service Information）を取り出し、ＣＰＵ２２１に出力する。デジタルチューナ３０６で得られた複数のトランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【０１０３】
ＭＰＥＧデコーダ３０７は、デジタルチューナ３０６で得られる映像データのＴＳパケットにより構成される映像ＰＥＳ（Packetized Elementary Stream）パケットに対してデコード処理を行って画像データを得る。また、ＭＰＥＧデコーダ３０７は、デジタルチューナ３０６で得られる音声データのＴＳパケットにより構成される音声ＰＥＳパケットに対してデコード処理を行って音声データを得る。
【０１０４】
映像信号処理回路３０８およびグラフィック生成回路３０９は、ＭＰＥＧデコーダ３０７で得られた画像データ、あるいはＨＤＭＩ受信部３０２で受信された画像データに対して、必要に応じてスケーリング処理（解像度変換処理）、グラフィックスデータの重畳処理等を行う。
【０１０５】
パネル駆動回路３１０は、グラフィック生成回路３０９から出力される映像（画像）データに基づいて、表示パネル３１１を駆動する。表示制御部３３１は、グラフィクス生成回路３０９やパネル駆動回路３１０を制御して、表示パネル３１１における表示を制御する。表示パネル３１１は、例えば、ＬＣＤ(Liquid Crystal Display)、ＰＤＰ(Plasma Display Panel)、有機ＥＬ（Organic Electro-Luminescence）パネル等で構成されている。
【０１０６】
なお、この実施の形態では、ＣＰＵ３２１の他に表示制御部３３１を有する例を示しているが、表示パネル３１１における表示をＣＰＵ２２１が直接制御するようにしてもよい。また、ＣＰＵ３２１と表示制御部３３１は、１つのチップになっていても、複数コアであってもよい。電源部３３２は、テレビ受信機１３の各部に電源を供給する。この電源部３３２は、ＡＣ電源であっても、電池（蓄電池、乾電池）であってもよい。
【０１０７】
音声信号処理回路３１２はＭＰＥＧデコーダ３０７で得られた音声データに対してＤ／Ａ変換等の必要な処理を行う。音声増幅回路３１３は、音声信号処理回路３１２から出力される音声信号を増幅してスピーカ３１４に供給する。なお、スピーカ３１４は、モノラルでもステレオでもよい。また、スピーカ３１４は、１つでもよく、２つ以上でもよい。また、スピーカ３１４は、イヤホン、ヘッドホンでもよい。また、スピーカ３１４は、２．１チャネルや、５．１チャネルなどに対応するものであってもよい。また、スピーカ３１４は、テレビ受信機１３と無線で接続してもよい。また、スピーカ３１４は、他機器であってもよい。
【０１０８】
ＣＰＵ３２１は、テレビ受信機１３の各部の動作を制御する。フラッシュＲＯＭ３２２は、制御ソフトウェアの格納およびデータの保管を行う。ＤＲＡＭ３２３は、ＣＰＵ３２１のワークエリアを構成する。ＣＰＵ３２１は、フラッシュＲＯＭ３２２から読み出したソフトウェアやデータをＳＤＲＡＭ３２３上に展開してソフトウェアを起動させ、テレビ受信機１３の各部を制御する。
【０１０９】
リモコン受信部３２６は、リモコン送信機３２７から送信されたリモーコントロール信号（リモコンコード）を受信し、ＣＰＵ３２１に供給する。ＣＰＵ３２１は、このリモコンコードに基づいて、テレビ受信機１３の各部を制御する。なお、この実施の形態では、ユーザ指示入力部としてリモートコントロール部を示しているが、ユーザ指示入力部は、その他の構成、例えば、近接/タッチにより指示入力を行うタッチパネル部、マウス、キーボード、カメラで指示入力を検出するジェスチャ入力部、音声により指示入力を行う音声入力部などであってもよい。
【０１１０】
ネットワーク端子３２５は、ネットワークに接続する端子であり、イーサネットインタフェース３２４に接続される。高速バスインタフェース１３ｃ、ＣＰＵ３２１、フラッシュＲＯＭ３２２、ＳＤＲＡＭ３２３、イーサネットインタフェース３２４、ＭＰＥＧデコーダ３０７および表示制御部３３１は、内部バス３２０に接続されている。
【０１１１】
ＨＤＭＩ受信部（ＨＤＭＩシンク）１３ｂは、ＨＤＭＩに準拠した通信により、ＨＤＭＩケーブル１３を介してＨＤＭＩ端子１３ａに供給されるベースバンドの画像（映像）と音声のデータを受信する。高速バスインタフェース１３ｃは、上述したＢＤプレーヤ１２の高速バスインタフェース１３ｃと同様に、ＨＤＭＩケーブル１５を構成する所定ライン（この実施の形態においては、リザーブライン、ＨＰＤライン）を用いて構成される双方向通信路のインタフェースである。
【０１１２】
ここで、ＨＤＭＩ受信部１３ｂにおいて、上述した情報受信部１３ｅ、情報送信部１３ｆの処理も行われる。すなわち、自装置が対応可能なニー位置の個数情報がＢＤプレーヤ１２に送信される。ここで、自装置が対応可能なニー位置の個数情報は、ＨＤＭＩ受信部１３ｂ内のＥＤＩＤ−ＲＯＭに記憶されている。また、ＢＤプレーヤ１２から受信される非圧縮画像データのブランキング期間に挿入されている、第１のダイナミックレンジ画像から第２のダイナミックレンジ画像への変換情報が抽出される。この変換情報には、自装置が対応可能なニー位置の個数分のニー位置情報が含まれている。映像信号処理回路３０８では、ＨＤＭＩ受信部１３ｂで受信される非圧縮画像データに対し、このニー位置情報に基づいてダイナミックレンジ変換の処理がなされる。
【０１１３】
高速バスインタフェース１３ｃは、イーサネットインタフェース３２４とＨＤＭＩ端子３０１との間に挿入されている。この高速バスインタフェース１３ｃは、ＣＰＵ３２１から供給される送信データを、ＨＤＭＩ端子１３ａからＨＤＭＩケーブル１５を介して相手側の機器に送信する。また、この高速バスインタフェース１３ｃは、ＨＤＭＩケーブル１５からＨＤＭＩ端子１３ａを介して相手側の機器から受信された受信データをＣＰＵ３２１に供給する。
【０１１４】
なお、例えば、受信されたコンテンツデータをネットワークに送出する際には、このコンテンツデータは、イーサネットインタフェース３２４を介して、ネットワーク端子３２５に出力される。同様に、受信されたコンテンツデータをＨＤＭＩケーブル１５の双方向通信路に送出する際には、当該コンテンツデータは、高速バスインタフェース１３ｃを介して、ＨＤＭＩ端子１３ａに出力される。ここで、画像データを出力する前に、著作権保護技術、例えばＨＤＣＰ、ＤＴＣＰ、ＤＴＣＰ＋などを用いて暗号化してから伝送してもよい。
【０１１５】
図９に示すテレビ受信機１３の動作を簡単に説明する。アンテナ端子３０５に入力されたテレビ放送信号はデジタルチューナ３０６に供給される。このデジタルチューナ３０６では、テレビ放送信号を処理して、ユーザの選択チャネルに対応した所定のトランスポートストリームが出力され、トランスポートストリームから、パーシャルＴＳ（映像データのＴＳパケット、音声データのＴＳパケット）が抽出され、当該パーシャルＴＳはＭＰＥＧデコーダ３０７に供給される。
【０１１６】
ＭＰＥＧデコーダ３０７では、映像データのＴＳパケットにより構成される映像ＰＥＳパケットに対してデコード処理が行われて映像データが得られる。この映像データは、映像信号処理回路３０８およびグラフィック生成回路３０９において、必要に応じて、スケーリング処理（解像度変換処理）、ダイナミックレンジ処理、グラフィックスデータの重畳処理等が行われた後に、パネル駆動回路３１０に供給される。そのため、表示パネル３１１には、ユーザの選択チャネルに対応した画像が表示される。
【０１１７】
また、ＭＰＥＧデコーダ３０７では、音声データのＴＳパケットにより構成される音声ＰＥＳパケットに対してデコード処理が行われて音声データが得られる。この音声データは、音声信号処理回路３１２でＤ／Ａ変換等の必要な処理が行われ、さらに、音声増幅回路３１３で増幅された後に、スピーカ３１４に供給される。そのため、スピーカ３１４から、ユーザの選択チャネルに対応した音声が出力される。
【０１１８】
また、ネットワーク端子３２５からイーサネットインタフェース３２４に供給される、あるいは、ＨＤＭＩ端子１３ａから高速バスインタフェース１３ｃを介して供給されるコンテンツデータ（画像データ、音声データ）は、ＭＰＥＧデコーダ３０７に供給される。以降は、上述したテレビ放送信号の受信時と同様の動作となり、表示パネル３１１に画像が表示され、スピーカ３１４から音声が出力される。
【０１１９】
また、ＨＤＭＩ受信部１３ｂでは、ＨＤＭＩ端子１３ａにＨＤＭＩケーブル１５を介して接続されているＢＤプレーヤ１２から送信されてくる、画像データおよび音声データが取得される。画像データは、映像信号処理回路３０８に供給される。また、音声データは、音声信号処理回路３１２に供給される。以降は、上述したテレビ放送信号の受信時と同様の動作となり、表示パネル３１１に画像が表示され、スピーカ３１４から音声が出力される。
【０１２０】
「ニー位置情報による機器間制御例」
この実施の形態において、ＢＤプレーヤ１２は、テレビ受信機１３から、ＨＤＭＩケーブル１５を介して、このテレビ受信機１３が対応可能なニー位置の個数情報を受信する。この場合、テレビ受信機１３は、自身が対応するニー位置の個数情報を記憶部に記憶しており、このニー位置の個数情報を、ＨＤＭＩケーブル１５を介してＢＤプレーヤ１２に送信する。なお、従来は、ニー位置情報の個数を指定する仕様がなく、メーカー間での互換性がなかった。
【０１２１】
ＢＤプレーヤ１２は、テレビ受信機１３から受信したニー位置の個数情報に基づいて、ＭＰＥＧデコーダ２１５で非圧縮画像データと共に取得される複数のニー位置情報から、テレビ受信機が対応可能な個数分のニー位置情報を選択し、ＨＤＭＩケーブル１５を介してテレビ受信機１３に送信する。この場合、ＭＰＥＧデコーダ２１５で取得される複数のニー位置情報には、優先順位が付与されており、優先順位順に選択される。
【０１２２】
テレビ受信機１３は、ＢＤプレーヤ１２から、ＨＤＭＩケーブル１５を介して、非圧縮画像データを受信すると共に、テレビ受信機１３が対応可能な個数のニー位置情報を含む、変換情報を受信する。テレビ受信機１３は、受信した非圧縮画像データを、受信した変換情報に基づいて処理し、表示用の画像データを生成する。
【０１２３】
［ＥＤＩＤのデータ構造例］
図１０は、Ｅ−ＥＤＩＤのデータ構造例を示している。このＥ−ＥＤＩＤは、基本ブロックと拡張ブロックとからなっている。基本ブロックの先頭には、“Ｅ−ＥＤＩＤ１．３ Ｂａｓｉｃ Ｓｔｒｕｃｔｕｒｅ”で表されるＥ−ＥＤＩＤ１．３の規格で定められたデータが配置され、続いて“Ｐｒｅｆｅｒｒｅｄ ｔｉｍｉｎｇ”で表される従来のＥＤＩＤとの互換性を保つためのタイミング情報、および“２ｎｄ ｔｉｍｉｎｇ”で表される従来のＥＤＩＤとの互換性を保つための“Ｐｒｅｆｅｒｒｅｄ ｔｉｍｉｎｇ”とは異なるタイミング情報が配置されている。
【０１２４】
また、基本ブロックには、“２ｎｄ ｔｉｍｉｎｇ”に続いて、“Ｍｏｎｉｔｏｒ ＮＡＭＥ”で表される表示装置の名前を示す情報、および“Ｍｏｎｉｔｏｒ Ｒａｎｇｅ Ｌｉｍｉｔｓ”で表される、アスペクト比が４：３および１６：９である場合についての表示可能な画素数を示す情報が順番に配置されている。
【０１２５】
拡張ブロックの先頭には、 “Ｓｈｏｒｔ Ｖｉｄｅｏ Ｄｅｓｃｒｉｐｔｏｒ”で表される、表示可能な画像サイズ(解像度)、フレームレート、インターレースであるかプログレッシブであるかを示す情報、アスペクト比などの情報が記述されたデータ、“Ｓｈｏｒｔ Ａｕｄｉｏ Ｄｅｓｃｒｉｐｔｏｒ”で表される、再生可能な音声コーデック方式、サンプリング周波数、カットオフ帯域、コーデックビット数などの情報が記述されたデータ、および“Ｓｐｅａｋｅｒ Ａｌｌｏｃａｔｉｏｎ”で表される左右のスピーカに関する情報が順番に配置されている。
【０１２６】
また、拡張ブロックには、“Ｓｐｅａｋｅｒ Ａｌｌｏｃａｔｉｏｎ”に続いて、“Ｖｅｎｄｅｒ Ｓｐｅｃｉｆｉｃ”で表されるメーカーごとに固有に定義されたデータ、“３ｒｄ ｔｉｍｉｎｇ”で表される従来のＥＤＩＤとの互換性を保つためのタイミング情報、および“４ｔｈ ｔｉｍｉｎｇ”で表される従来のＥＤＩＤとの互換性を保つためのタイミング情報が配置されている。
【０１２７】
［ＶｅｎｄｏｒＳｐｅｃｉｆｉｃＤａｔａＢｌｏｃｋ（ＶＳＤＢ）領域のデータ構造例］
この実施の形態においては、このＶＳＤＢ領域に、テレビ受信機１３が対応可能なニー位置個数情報を記憶するために拡張するデータエリアを定義する。図１１は、ＶＳＤＢ領域のデータ構造例を示している。このＶＳＤＢ領域には、１バイトのブロックである第０ブロック乃至第Ｎブロックが設けられている。
【０１２８】
第８バイトの第４ビットに、ニー位置個数情報の有無のフラグと、第９バイトに、テレビ受信機１３が記憶しておくべきニー位置個数情報のデータ領域が定義される。
【０１２９】
まず、第０バイトから第８バイトについて説明する。“Ｖｅｎｄｅｒ Ｓｐｅｃｉｆｉｃ”で表されるデータの先頭に配置された第０バイトには、“Ｖｅｎｄｏｒ−Ｓｐｅｃｉｆｉｃ ｔａｇ ｃｏｄｅ（＝３）”で表されるデータ領域を示すヘッダ、および“Ｌｅｎｇｔｈ（＝Ｎ）”で表されるＶＳＤＢデータの長さを示す情報が配置される。また、第１バイト乃至第３バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１３０】
さらに、第４バイトおよび第５バイトには、”Ａ“、”Ｂ“、”Ｃ“、および”Ｄ“のそれぞれにより表される、２４ｂｉｔのシンク機器の物理アドレスを示す情報が配置される。第６バイトには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ Ｖｉｓｕａｌ Ｉｎｔｅｒｆａｃｅ）に対応しているかを示す フラグが配置されている。
【０１３１】
また、第７バイトには、“Ｍａｘ−ＴＭＤＳ−Ｃｌｏｃｋ”で表されるＴＭＤＳのピクセルクロックの最大の周波数を示す情報が配置される。第８バイトの第３ビットから第０ビットには、コンテンツタイプ（ＣＮＣ）の機能の対応を指定する情報のフラグが配置されている。この第８バイトの第４ビットに、シンク機器が対応するニー位置個数情報が存在するかどうかのフラグが新規に配置される。このフラグがハイレベル「１」の場合には、第９バイトにニー位置個数情報および対応パケット形式情報“ＤＲＩＦ”フラグが存在することを示す。
【０１３２】
ここでは、ＶＳＤＢ領域を用いてニー位置個数情報を記憶させる方法を提案しているが、Ｅ−ＥＤＩＤのデータ構造では、例えばＶＣＤＢ（Video Capability Data Block）の様に、これ以外のデータ領域でも実現可能なため、この方法に限定はされない。
【０１３３】
図１に示すＡＶシステム１０において、ＢＤプレーヤ（ＨＤＭＩソース機器）１２は、ＨＰＤライン３５（図５参照）で、テレビ受信機（ＨＤＭＩシンク機器）１３の接続を確認する。その後、ＢＤプレーヤ１２は、ＤＤＣ３３（図５参照）を用いて、テレビ受信機１３からＥ−ＥＤＩＤ、従ってニー位置個数情報を読み出し、テレビ受信機１３が対応するニー位置個数を認識する。
【０１３４】
図１に示すＡＶシステム１０において、ＢＤプレーヤ１２は、非圧縮画像データをテレビ受信機１３に伝送する際、上述したようにテレビ受信機１３から読み出したニー位置個数情報に基づいて、テレビ受信機１３が対応可能な個数のニー位置情報を含むダイナミックレンジ変換情報を、テレビ受信機１３に伝送する。
【０１３５】
この場合、ＢＤプレーヤ１２は、テレビ受信機１３に送信する非圧縮画像データ（映像信号）のブランキング期間にその情報を挿入することで、当該情報をテレビ受信機１３に送信する。ここで、ＢＤプレーヤ１２は、例えば、ＨＤＭＩのＶｅｎｄｏｒ  Ｓｐｅｃｉｆｉｃ ＩｎｆｏＦｒａｍｅ（以降、「ＶＳＩＦ」と呼ぶ）パケット等を用いて、現在伝送している非圧縮画像データのダイナミックレンジ変換情報を非圧縮画像データのブランキング期間に挿入する。ＶＳＩＦパケットは、上述したデータアイランド区間２６（図６参照）に配置される。
【０１３６】
［ＶＳＩＦパケットのデータ構造例］
図１２は、ＶＳＩＦパケットのデータ構造例を示している。ＨＤＭＩでは、このＶＳＩＦパケットにより、画像に関する付帯情報をソース機器からシンク機器に伝送可能となっている。第０バイトには、ＶＳＩＦパケットを示す“Ｐａｃｋｅｔ  Ｔｙｐｅ（０ｘ８１）”が定義されている。
【０１３７】
ＶＳＩＦパケットのデータ内容が、直前に送ったＶＳＩＦパケットと異なる場合、第１バイトの第１バイトは、直前のＶＳＩＦパケットで設定した“ＣＢフラグ“とは逆のレベルを設定する。すなわち、直前のＶＳＩＦパケットで”ＣＢフラグ“にローレベル「０」が設定され、続くＶＳＩＦパケットのデータ内容が異なる場合は、この”ＣＢフラグ“をハイレベル「１」に設定する。第１バイトの第６ビットから第０ビットは、”Ｖｅｒｓｉｏｎ  （０ｘ０２）を設定する。
【０１３８】
第２バイトの第４ビットから第０ビットには、“Ｌｅｎｇｔｈ”データが定義されており、第３バイト以降のバイト長を設定する。第３バイトには、チェックサムが定義されている。第４バイトから第６バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１３９】
第７バイトの第４ビットと第３ビットには、第８バイト以降にダイナミックレンジ変換情報が存在するかどうかを示すフラグが指定される。第４ビットと第３ビットが“０ｂ００”に指定された場合は、ダイナミックレンジ変換情報が存在しないことを示す。第４ビットと第３ビットが“０ｂ０１”に指定された場合は、続く第８バイトから第２３バイトには、ダイナミックレンジ変換情報の内、入力画像ダイナミックレンジ情報（input_d_range）と、入力画像表示ディスプレイ最大輝度情報（input_disp_luminance）と、出力画像ダイナミックレンジ情報（output_d_range）と、出力表示ディスプレイ最大輝度情報（output_disp_luminace）とが指定される。
【０１４０】
このＶＳＩＦパケットの最大データ長は３１バイトのため、ダイナミックレンジ変換情報の全ての情報を１つのＶＳＩＦパケットで伝送することはできない。そこで、同じ画像フレーム内に異なるＶＳＩＦパケットを配置して、残りのダイナミックレンジ変換情報を伝送するようにする。図１３は、別のＶＳＩＦパケットのデータ構造を示している。
【０１４１】
第０バイトには、ＶＳＩＦパケットを示す“Ｐａｃｋｅｔ  Ｔｙｐｅ（０ｘ８１）”が定義されている。第１バイトには、２番目のＶＳＩＦパケットを示す、”Ｖｅｒｓｉｏｎ  （０ｘ０１）を設定する。第２バイトの第４ビットから第０ビットには、“Ｌｅｎｇｔｈ”データが定義されており、第３バイト以降のバイト長を設定する。第３バイトには、チェックサムが定義されている。第４バイトから第６バイトには、“２４ｂｉｔ ＩＥＥＥ Ｒｅｇｉｓｔｒａｔｉｏｎ Ｉｄｅｎｔｉｆｉｅｒ（０ｘ０００Ｃ０３）ＬＳＢ ｆｉｒｓｔ”で表されるＨＤＭＩ（Ｒ）用として登録された番号“０ｘ０００Ｃ０３“を示す情報が配置される。
【０１４２】
第７バイトの第４ビットと第３ビットには、第８バイト以降にダイナミックレンジ変換情報が存在するかどうかを示すフラグが指定される。第４ビットと第３ビットが“０ｂ００”に指定された場合は、ダイナミックレンジ変換情報が存在しないことを示す。第４ビットと第３ビットが“０ｂ１１”に指定された場合は、続く第８バイト以降に、ニー位置情報が指定される。
【０１４３】
第８バイトには、このＶＳＩＦパケットで伝送されるニー位置情報の個数が指定される。第９バイト以降には、３バイト毎に、変換前位置情報（input_knee_point）および変換後位置情報（output_knee_point）が設定される。同様に、このＶＳＩＦパケットの最大データ長も３１バイトのため、ニー位置情報の最大伝送可能な個数は９となる。
【０１４４】
このＶＳＩＦパケットを用いて、ダイナミックレンジ変換情報を伝送する場合、２つのＶＳＩＦパケットを取得しなければならず、さらに伝送できるニー位置情報の個数が９に限定されるため、テレビ受信機１３での処理が煩雑になるため、ダイナミックレンジ変換情報を一括で伝送するために、新しいＩｎｆｏＦｒａｍｅのデータ構造を定義して用いてもよい。
【０１４５】
［ＤＲＩＦパケットのデータ構造例］
図１４は、新規に定義するＤＲＩＦパケットのデータ構造例を示している。第０バイトにデータパケットの種類を示す“Ｐａｃｋｅｔ  Ｔｙｐｅ  （０ｘ８３）”を定義する。第１バイトには、ＤＲＩＦパケットのバージョンを示す、”Ｖｅｒｓｉｏｎ  （０ｘ０１）を設定する。第２バイトには、“Ｌｅｎｇｔｈ”データが定義され、第３バイト以降のバイト長（最大２５５）を設定する。第３バイトには、チェックサムが定義されている。
【０１４６】
第４バイトの第７ビットには、ニー変換キャンセルフラグ“ＣＦ”を設定する。ニー変換キャンセルフラグ“ＣＦ”は、直前のＤＲＩＦパケットデータの連続性をキャンセルするかどうかを表すフラグである。連続性をキャンセルする場合にはハイレベル「１」を設定し、キャンセルしない場合にはローレベル「０」を設定する。
【０１４７】
第４バイトの第６ビットには、持続フラグ“ＰＦ”を設定する。持続フラグ“ＰＦ”は、一度送ったＤＲＩＦパケットデータがその後も有効なのか、一回限りなのかを示すもので、ＤＲＩＦパケットデータが付加されたピクチャに限り有効な場合にはローレベル「０」を設定し、ストリームが切り替わるまで有効または新しいＤＲＩＦパケットデータが来るまで有効の場合にはハイレベル「１」を設定する。
【０１４８】
第５バイトから第８バイトには、入力画像ダイナミックレンジ情報（input_d_range）が、第９バイトから第１２バイトには、入力画像表示ディスプレイ最大輝度情報（input_disp_luminance）が、第１３バイトから第１６バイトには、出力画像ダイナミックレンジ情報（output_d_range）が、第１７バイトから第２０バイトには、出力表示ディスプレイ最大輝度情報（output_disp_luminace）が指定される。
【０１４９】
第２１バイトには、このＤＲＩＦパケットで伝送されるニー位置情報の個数が指定される。第２２バイト以降には、３バイト毎に、変換前位置情報（input_knee_point）および変換後位置情報（output_knee_point）が設定される。
【０１５０】
この様にして、ＤＲＩＦパケットを用いてダイナミックレンジ変換情報を伝送すれば、ＶＳＩＦパケットを用いた場合のテレビ受信機１３での処理の煩雑さを解決できる。
【０１５１】
［デジタルカメラ（符号化装置）の処理の説明］
図１５は、デジタルカメラ１１のニー位置情報の優先順位を決定する処理を説明するフローチャートである。
【０１５２】
デジタルカメラ１１は、ステップＳＴ１において、処理を開始し、その後、ステップＳＴ２の処理に移る。このステップＳＴ２において、ニー位置情報の数が２以上か否かを判定する。ニー位置情報の数が１のとき、優先順位の決定処理の必要はないので、デジタルカメラ１１は、直ちに、ステップＳＴ７に進み、処理を終了する。
【０１５３】
ニー位置情報の数が２以上のとき、デジタルカメラ１１は、ステップＳＴ３の処理に進む。ステップＳＴ３において、デジタルカメラ１１は、対角線とニー位置の距離を演算し、次のステップＳＴ４に進む。
【０１５４】
ステップＳＴ４において、デジタルカメラ１１は、演算した距離情報の中から最大値のニー位置情報を抽出し、i番目の変換前位置情報“input_knee_point [i]”および変換後位置情報“output_knee_point [i]”に設定し、次のステップＳＴ５に進む。
【０１５５】
ステップＳＴ５において、デジタルカメラ１１は、ループカウンターを加算し、次のステップＳＴ６に進む。
【０１５６】
ステップＳＴ６において、デジタルカメラ１１は、優先順位を決定すべきニー位置の数に達したか否かを判断する。達していないとき、デジタルカメラ１１は、ステップＳＴ４に戻り、次の最大値のニー位置を抽出する。達したとき、優先順位決定の処理が完了し、ステップＳＴ７に進み、処理を終了する。
【０１５７】
以上のように、デジタルカメラ１１は、ニー位置の優先順位順に設定されたダイナミックレンジ変換情報を含むニー・ファンクション・インフォ・ＳＥＩを設定し、記憶する。そのため、受信側では、このダイナミックレンジ変換情報に基づいて、所望のダイナミックレンジ画像に変換することができる。従って、デジタルカメラ１１は、復号時に、復号された非圧縮画像を所望のダイナミックレンジ画像へ変換することができるように、撮像する画像を符号化することができるといえる。
【０１５８】
図１６は、ＢＤプレーヤ１２のニー位置情報の送信処理を説明するフローチャートである。
【０１５９】
ＢＤプレーヤ１１は、ステップＳＴ１１において、処理を開始し、その後に、ステップＳＴ１２の処理に移る。このステップＳＴ１２において、ＢＤプレーヤ１２は、ＨＰＤ信号がハイレベル「Ｈ」にあるか否かを判定する。ＨＰＤ信号がハイレベル「Ｈ」にないとき、ＢＤプレーヤ１２にテレビ受信機１３が接続されていないと判断し、ＢＤプレーヤ１２は、直ちに、ステップＳＴ１９に進み、処理を終了する。
【０１６０】
ＨＰＤ信号がハイレベル「Ｈ」にあるとき、ＢＤプレーヤ１２は、ステップＳＴ１３において、テレビ受信機１３のＥ−ＥＤＩＤを読み出す。そして、ＢＤプレーヤ１２は、ステップＳＴ１４において、テレビ受信機１３がダイナミックレンジ変換処理に対応しているか否かを判定する。非対応のとき、ＢＤプレーヤ１２は、ステップＳＴ１９に進み、処理を終了する。
【０１６１】
また、ステップＳＴ１４で対応しているとき、ＢＤプレーヤ１２は、ステップＳＴ１５において、テレビ受信機１３に送信するニー位置情報の個数を決定する。そして、ＢＤプレーヤ１２は、ステップＳＴ１６において、テレビ受信機１３がＤＲＩＦパケットに対応しているか否かを判定する。
【０１６２】
ＤＲＩＦパケットに対応しているとき、ＢＤプレーヤ１２は、ステップＳＴ１７において、ＤＲＩＦパケットにダイナミックレンジ変換情報を設定し、テレビ受信機１３へ送信し、その後に、ステップＳＴ１９に進み、処理を終了する。
【０１６３】
ＤＲＩＦパケットに対応していなとき、ＢＤプレーヤ１２は、ステップＳＴ１８において、ＶＳＩＦパケットにダイナミックレンジ変換情報を設定し、テレビ受信機１３へ送信し、その後に、ステップＳＴ１９に進み、処理を終了する。
【０１６４】
以上のように、ＢＤプレーヤ１２は、テレビ受信機１３が対応するニー位置の個数で、優先順位順に設定されたニー位置情報を含むダイナミックレンジ変換情報を、対応するパケット形式で送信するので、テレビ受信機１３は、受信したダイナミックレンジ変換情報に基づいて、所望のダイナミックレンジ画像に変換することができる。
【０１６５】
＜２．変形例＞
上述実施の形態においては、デジタルカメラ１１は、ダイナミックレンジ変換情報を、記憶媒体１４を介して、ＢＤプレーヤ１２に渡している。
【０１６６】
例えば、デジタルカメラ１１は、ダイナミックレンジ変換情報を、デジタル放送波やＩＰパケットやケーブルテレビ放送波やワイヤレス無線（Ｗｉ−Fｉ）や公衆回線網（３Ｇ、ＬＴＥ）を介して、ＢＤプレーヤ１２に渡すようにしてもよい。
【０１６７】
また、上述実施の形態においては、デジタルカメラ１１は、ニー位置情報の優先順位を決定し、その優先順位に従って変換前位置情報および変換後位置情報を並べ替えてニー・ファンクション・インフォ・ＳＥＩを生成している。しかし、優先順位情報を付加した変換前位置情報および変換後位置情報を生成し、任意の順番でニー・ファンクション・インフォ・ＳＥＩを生成してもよい。
【０１６８】
また、上述実施の形態においては、デジタルカメラ１１は、ニー位置情報の優先順位の決定方法として、ニー位置と対角線との距離情報を演算して決定しているが、これ以外の方法で決定してもよい。
【０１６９】
なお、上述実施の形態においては、ＢＤプレーヤ１２は、ダイナミックレンジ変換情報を、ＶＳＩＦパケットまたはＤＲＩＦパケットを用いて、非圧縮画像データのブランキング期間に挿入することで、テレビ受信機１３に送信している。
【０１７０】
例えば、ＢＤプレーヤ１２は、ダイナミックレンジ変換情報を、ＨＤＭＩケーブル１５の制御データラインであるＣＥＣライン２４を介して、テレビ受信機１３に送信するようにしてもよい。また、例えば、ＢＤプレーヤ１２は、ダイナミックレンジ変換情報を、ＨＤＭＩケーブル１５のリザーブライン３７およびＨＰＤライン３５で構成される双方向通信路を介して、テレビ受信機１３に送信するようにしてもよい。
【０１７１】
また、上述実施の形態においては、テレビ受信機１３のＥ−ＥＤＩＤには、当該テレビ受信機１３が対応するニー位置情報の個数および/またはＤＲＩＦパケット対応情報が含まれており、ＢＤプレーヤ１２は、ＨＤＭＩケーブル１５のＤＤＣ３３を介してＥ−ＥＤＩＤを読み出すことで、テレビ受信機１３が対応するニー位置情報の個数および/またはＤＲＩＦパケット対応情報を取得するようにしている。
【０１７２】
しかし、ＢＤプレーヤ１２は、テレビ受信機１３が対応するニー位置情報の個数および/またはＤＲＩＦパケット対応情報を、テレビ受信機１３から、ＨＤＭＩケーブル１５の制御データラインであるＣＥＣライン３４を介して、あるいはＨＤＭＩケーブル１５のリザーブライン３７およびＨＰＤライン３５で構成される双方向通信路を介して受信するようにしてもよい。
【０１７３】
また、上述実施の形態においては、ＢＤプレーヤ１２がデジタルカメラ１１から受け取る符号化データに付加されている複数のニー位置情報には優先順位情報が付加されている。しかし、ＢＤプレーヤ１２が受け取る符号化データに付加されている複数のニー位置情報に優先順位情報が付加されていない場合、ＢＤプレーヤ１２内で優先順位を決定することが考えられる。この場合の優先順位の決定方法は、詳細説明は省略するが、上述のデジタルカメラ１１での決定方法と同様に行われることとなる。
【０１７４】
また、上述実施の形態においては、ＨＤＭＩの伝送路を用いるものを示している。しかし、ベースバンドデジタルインタフェースとしては、ＨＤＭＩの他に、ＭＨＬ（Mobile High-definition Link）、ＤＶＩ（Digital Visual Interface）インタフェース、光ファイバーインターフェース、６０ＧＨｚミリ波を利用したワイヤレスインタフェース等がある。本技術は、これらのデジタルインタフェースで、ダイナミックレンジ変換情報を伝送する場合にも同様に適用できる。ここで、「ＨＤＭＩ」、「ＭＨＬ」は、登録商標である。
【０１７５】
また、上述実施の形態においては、送信装置（ソース機器）としてＢＤプレーヤ１２を使用し、受信装置（シンク機器）としてテレビ受信機１３を使用した例としたが、その他の送信装置、受信装置を使用するものにも、本技術を同様に適用できることは勿論である。
【０１７６】
また、技術は、以下のような構成もとることができる。
（１）第１のダイナミックレンジ画像から第２のダイナミックレンジ画像への変換に関する複数のニー位置情報を設定する設定部と、
上記第２のダイナミックレンジ画像を符号化して符号化データを生成する符号化部と、
上記複数のニー位置情報の優先順位を決定する決定部と、
上記第２のダイナミックレンジ画像の符号化データに、上記優先順位が付与された状態で上記複数のニー位置情報を付加する付加部を備える
符号化装置。
（２）上記複数のニー位置情報が付加された上記第２のダイナミックレンジ画像の符号化データを記憶媒体に記憶する記憶処理部を、さらに備える
前記（１）に記載の符号化装置。
（３）上記複数のニー位置情報には、配列が優先順位順とされることで、上記優先順位が付与される
前記（１）または（２）に記載の符号化装置。
（４）上記複数のニー位置情報には、上記複数のニー位置情報の優先関係を示す情報が付加されることで、上記優先順位が付与される
前記（１）または（２）に記載の符号化装置。
（５）上記決定部は、
上記複数のニー位置情報がそれぞれ示すニー位置の圧縮伸長率に基づいて、上記複数のニー位置情報の優先順位を決定する
前記（１）から（４）のいずれかに記載の符号化装置。
（６）第１のダイナミックレンジ画像から第２のダイナミックレンジ画像への変換に関する複数のニー位置情報を設定する設定ステップと、
上記第２のダイナミックレンジ画像を符号化部で符号化して符号化データを生成する符号化ステップと、
上記複数のニー位置情報の優先順位を決定する決定ステップと、
上記第２のダイナミックレンジ画像の符号化データに、上記優先順位が付与された状態で上記複数のニー位置情報を付加する付加ステップを有する
符号化方法。
（７）コンピュータを、
第１のダイナミックレンジ画像から第２のダイナミックレンジ画像への変換に関する複数のニー位置情報を設定する設定手段と、
上記第２のダイナミックレンジ画像を符号化して符号化データを生成する符号化手段と、
上記複数のニー位置情報の優先順位を決定する決定手段と、
上記第２のダイナミックレンジ画像の符号化データに、上記優先順位が付与された状態で上記複数のニー位置情報を付加する付加手段と
して機能させるためのプログラム。
（８）外部機器に、伝送路を介して、第２のダイナミックレンジ画像の非圧縮画像データを送信するデータ送信部と、
上記外部機器に、上記伝送路を介して、第１のダイナミックレンジ画像から上記第２のダイナミックレンジ画像への変換に関する複数のニー位置情報を、上記外部機器が対応可能なニー位置の個数に制限して送信する情報送信部を備える
送信装置。
（９）上記外部機器から、上記外部機器が対応可能なニー位置の個数情報を受信する情報受信部をさらに備える
前記（８）に記載の送信装置。
（１０）優先順位が付与された状態で複数のニー位置情報が付加された上記第２のダイナミックレンジ画像の符号化データを取得するデータ取得部と、
上記第２のダイナミックレンジ画像の符号化データを復号して、上記第２のダイナミックレンジ画像の非圧縮画像データを得る復号部と、
上記複数のニー位置情報から、上記優先順位に基づいて、上記外部機器が対応可能なニー位置の個数分のニー位置情報を選択する情報選択部をさらに備える
前記（８）または（９）に記載の送信装置。
（１１）上記データ送信部は、上記外部機器に、上記非圧縮画像データを、差動信号により、上記伝送路を介して送信する、
前記（８）から（１０）のいずれかに記載の送信装置。
（１２）上記情報送信部は、上記データ送信部で送信される上記非圧縮画像データの上記複数のニー位置情報を、該非圧縮画像データのブランキング期間に挿入することで、上記外部機器に送信する
前記（８）から（１１）のいずれかに記載の送信装置。
（１３）外部機器に、伝送路を介して、第２のダイナミックレンジ画像の非圧縮画像データを送信するデータ送信ステップと、
上記外部機器に、上記伝送路を介して、第１のダイナミックレンジ画像から上記第２のダイナミックレンジ画像への変換に関する複数のニー位置情報を、上記外部機器が対応可能なニー位置の個数に制限して送信する情報送信ステップを有する
送信方法。
（１４）コンピュータを、
外部機器に、伝送路を介して、第２のダイナミックレンジ画像の非圧縮画像データを送信するデータ送信手段と、
上記外部機器に、上記伝送路を介して、第１のダイナミックレンジ画像から上記第２のダイナミックレンジ画像への変換に関する複数のニー位置情報を、上記外部機器が対応可能なニー位置の個数に制限して送信する情報送信手段と
して機能させるプログラム。
（１５）外部機器から、伝送路を介して、第２のダイナミックレンジ画像の非圧縮画像データを受信するデータ受信部と、
上記外部機器から、上記伝送路を介して、第１のダイナミックレンジ画像から上記第２のダイナミックレンジ画像への変換に関する複数のニー位置情報を受信する情報受信部と、
上記第２のダイナミックレンジ画像の非圧縮画像データに上記複数のニー位置情報に基づいたダイナミックレンジ変換処理を行う変換処理部と、
上記外部機器に、上記伝送路を介して、自装置が対応可能なニー位置の個数情報を送信する情報送信部を備える
受信装置。
（１６）上記ニー位置の個数の情報を記憶しておく記憶部をさらに備え、
上記情報送信部は、上記記憶部から上記ニー位置の個数情報を取得して送信する
前記（１５）に記載の受信装置。
（１７）上記データ受信部は、上記外部機器から、上記非圧縮画像データを、差動信号により、上記伝送路を介して受信する
前記（１５）または（１６）に記載の受信装置。
（１８）上記情報受信部は、上記データ受信部で受信された上記非圧縮画像データの上記複数のニー位置情報を、該非圧縮画像データのブランキング期間から抽出する
前記（１５）から（１７）のいずれかに記載の受信装置。
（１９）外部機器から、伝送路を介して、第２のダイナミックレンジ画像の非圧縮画像データを受信するデータ受信ステップと、
上記外部機器から、上記伝送路を介して、第１のダイナミックレンジ画像から上記第２のダイナミックレンジ画像への変換に関する複数のニー位置情報を受信する情報受信ステップと、
上記第２のダイナミックレンジ画像の非圧縮画像データに上記複数のニー位置情報に基づいたダイナミックレンジ変換処理を行う変換処理ステップと、
上記外部機器に、上記伝送路を介して、自装置が対応可能なニー位置の個数情報を送信する情報送信ステップを有する
受信方法。
（２０）コンピュータを、
外部機器から、伝送路を介して、第２のダイナミックレンジ画像の非圧縮画像データを受信するデータ受信手段と、
上記外部機器から、上記伝送路を介して、第１のダイナミックレンジ画像から上記第２のダイナミックレンジ画像への変換に関する複数のニー位置情報を受信する情報受信手段と、
上記第２のダイナミックレンジ画像の非圧縮画像データに上記複数のニー位置情報に基づいたダイナミックレンジ変換処理を行う変換処理手段と、
上記外部機器に、上記伝送路を介して、自装置が対応可能なニー位置の個数情報を送信する情報送信手段と
して機能させるプログラム。
【符号の説明】
【０１７７】
１０・・・・ＡＶシステム
１１・・・・デジタルカメラ
１１ａ・・・撮像部
１１ｂ・・・変換部
１１ｃ・・・設定部
１１ｄ・・・符号化部
１１ｆ・・・記憶処理部
１２・・・・ＢＤプレーヤ
１２ａ・・・ＨＤＭＩ端子
１２ｂ・・・ＨＤＭＩ送信部
１２ｃ・・・高速バスインタフェース
１２ｄ・・・復号部
１２ｅ・・・情報送信部
１２ｆ・・・情報受信部
１３・・・・テレビ受信機
１３ａ・・・ＨＤＭＩ端子
１３ｂ・・・ＨＤＭＩ受信部
１３ｃ・・・高速バスインタフェース
１３ｄ・・・変換部
１３ｅ・・・情報受信部
１３ｆ・・・情報送信部
１３ｇ・・・記憶部
１４・・・・記憶媒体
１５・・・・ＨＤＭＩケーブル
２１・・・・有効画像区間
２２・・・・水平帰線区間
２３・・・・垂直帰線区間
２４・・・・ビデオデータ区間
２５・・・・データアイランド区間
２６・・・・コントロール区間
３１・・・・ＨＤＭＩトランスミッタ
３２・・・・ＨＤＭＩレシーバ
３３・・・・ＤＤＣライン
３４・・・・ＣＥＣライン
３５・・・・ＨＰＤライン
３６・・・・電源ライン
３７・・・・リザーブライン
１２１・・・イメージャ
１２２・・・イメージャドライバ
１２３・・・撮像信号処理回路
１２４・・・カメラ制御ＣＰＵ
１２５・・・静止画像信号処理回路
１２６・・・画像信号処理回路
１２８・・・記録再生部
１２９・・・記録媒体
１３０・・・システム制御ＣＰＵ
１３１・・・フラッシュＲＯＭ
１３２・・・ＳＤＲＡＭ
１３３・・・ユーザ操作部
１３４・・・マイクロホン
１３５・・・音声信号処理回路
１３６・・・パネル駆動回路
１３７・・・表示パネル
１４０・・・グラフィック生成回路
１４１・・・表示制御部
１４２・・・電源部
２０４・・・ＣＰＵ
２０５・・・内部バス
２０６・・・フラッシュＲＯＭ
２０７・・・ＳＤＲＡＭ
２０８・・・リモコン受信部
２０９・・・リモコン送信機
２１０・・・記憶媒体制御インタフェース
２１１ａ・・・ＢＤドライブ
２１１ｂ・・・ＨＤＤ
２１１ｃ・・・ＳＳＤ
２１２・・イーサネットインタフェース
２１３・・・ネットワーク端子
２１５・・・ＭＰＥＧデコーダ
２１６・・・グラフィック生成回路
２１７・・・映像出力端子
２１８・・音声出力端子
２２１・・・表示制御部
２２２・・・パネル駆動回路
２２３・・・表示パネル
２２４・・・電源部
３０５・・・アンテナ端子
３０６・・・デジタルチューナ
３０７・・・ＭＰＥＧデコーダ
３０８・・・映像信号処理回路
３０９・・・グラフィック生成回路
３１０・・・パネル駆動回路
３１１・・・表示パネル
３１２・・・音声信号処理回路
３１３・・・音声増幅回路
３１４・・・スピーカ
３２０・・・内部バス
３２１・・・ＣＰＵ
３２２・・・フラッシュＲＯＭ
３２３・・・ＤＲＡＭ
３２４・・・イーサネットインタフェース
３２５・・・ネットワーク端子
３２６・・・リモコン受信部
３２７・・・リモコン送信機
３３１・・・表示制御部
３３２・・・電源部
【図１】
0006536573.tif 000002
【図２】
0006536573.tif 000003
【図３】
0006536573.tif 000004
【図４】
0006536573.tif 000005
【図５】
0006536573.tif 000006
【図６】
0006536573.tif 000007
【図７】
0006536573.tif 000008
【図８】
0006536573.tif 000009
【図９】
0006536573.tif 000010
【図１０】
0006536573.tif 000011
【図１１】
0006536573.tif 000012
【図１２】
0006536573.tif 000013
【図１３】
0006536573.tif 000014
【図１４】
0006536573.tif 000015
【図１５】
0006536573.tif 000016
【図１６】
0006536573.tif 000017